(57)【要約】      （修正有）【課題】多数のスキャンヘッドを備え、一台で多数本の生産ラインに使用できるレーザーラベル印刷機を提供する。【解決手段】主に本考案レーザーラベル印刷機は本体、分光装置(Beam Splitter)、複数本の伝送線及び複数個のスキャンヘッド(SCANHEAD)を含む。該本体はレーザーヘッド(Laser Head)を備え、レーザー光を出力し、該分光装置(Beam Splitter)は該本体のレーザーヘッドと結合し、これによりレーザー光は該分光装置を通り分光される。該複数本の伝送線一端は該分光装置と連結し、反対端はそれぞれ複数個のスキャンヘッドと連結し、これにより該分光装置が分光したレーザー光はそれぞれ各１本の伝送線により各１個のスキャンヘッドに伝送される。【選択図】図１
0003129877.tif 000002
【実用新案登録請求の範囲】
【請求項１】
主に本体、分光装置、複数本の伝送線、複数個のスキャンヘッドを含み、
該本体はレーザーヘッドを備え、レーザー光を出力し、
該分光装置は該本体のレーザーヘッドと結合し、結合後はレーザー光は該分光装置を通り分光し、
該複数本の伝送線の一端は該分光装置と連結し、
該複数個のスキャンヘッドはそれぞれ該複数個の伝送線の反対端と連結し、これにより該分光装置が分光したレーザー光はそれぞれ各１本の伝送線により該各１個のスキャンヘッドに伝送されることを特徴とする多数のスキャンヘッドを備えたレーザーラベル印刷機。
【請求項２】
前記本体内にはさらにレーザーラベル印刷機が必要とするレーザー源と供電装置を含むことを特徴とする請求項１記載の多数のスキャンヘッドを備えたレーザーラベル印刷機。
【請求項３】
前記伝送線は光ファイバーであることを特徴とする請求項１記載の多数のスキャンヘッドを備えたレーザーラベル印刷機。
【請求項４】
前記本体内にはさらに制御器を含み、これにより該スキャンヘッドは該制御器の制御を受け、異なる出力を提供することを特徴とする請求項１記載の多数のスキャンヘッドを備えたレーザーラベル印刷機。
【考案の詳細な説明】
【技術分野】
【０００１】
本考案は一種の多数のスキャンヘッドを備えたレーザーラベル印刷機に関する。特に一種のレーザーヘッド上に設置する分光装置を利用し、レーザー光は多数のスキャンヘッドを通過し出力される多数のスキャンヘッドを備えたレーザーラベル印刷機に係る。
【背景技術】
【０００２】
過去、工業製品のラベル印刷には腐食、電光加工、機械刻印、モールドプレス等方式が採用されて来たが、これによってプリントされる製品ラベルの精密度は低く、変形し易く、完成品の効率が低く、速度が遅かった。しかもモールドは損傷し易く、絶えず交換する必要があるため、製品が大量で、ロット番号或いは規格が多い場合には、頻繁にラベルモールドを交換しなければならず、コストが増加していた。
一方、1980年代初頭、斬新なレーザー応用技術が開発され、レーザーラベル印刷技術が国際的に注目を集めた。これは最先端のハイテクレーザー技術とコンピュータ技術の結晶とも言える製品で、プラスチック、ゴム、機械パーツ、電子パーツ、機器、工具等の標記を必要とする物体表面に文字、図案等により組成する標記を施すことができる。該製品は伝統的な機械雕刻、化学腐食、シルクスクリーン印刷、インクプリント等の方式と比べ、応用範囲が広く、ラベルの印刷精度と効率が高く、コンピュータシステムにより制御されるため、伝統的なモールドラベル印刷のような材質疲労による使用寿命の制限はない。またレーザーが物件表面に施す標記は堅固で永久的である点がその特に優れた特色である。
現在のレーザーラベル印刷機の設計は主に機体内部を利用し、レーザー源を有効に機体上のスキャンヘッドに伝送し、標記の動作を行うものである。しかし、現在のPCB産業における応用にとっては、該レーザーラベル印刷機の設計は使用において非常に大きな制限を受けざるを得ない。それはPCB産業では各生産ライン間の距離がますますグレードアップされ小型化、モジュール化しているためで、生産ライン全体の効率を如何にして向上させるかが、レーザーラベル印刷機が目指す設計の方向である。
【考案の開示】
【考案が解決しようとする課題】
【０００３】
本考案の課題は多数のスキャンヘッド出力を備えるレーザーラベル印刷機を提供することで、一対多の設計概念により、一台のレーザーラベル印刷機は多数本の生産ラインに使用することができる。
【課題を解決するための手段】
【０００４】
該課題を解決するため、本考案は下記の多数のスキャンヘッドを備えたレーザーラベル印刷機を提供する。
それは主に本体、分光装置(Beam Splitter)、複数本の伝送線及び複数個のスキャンヘッド(SCANHEAD)を含み、
該本体はレーザーヘッド(Laser Head)を備え、レーザー光を出力し、
該分光装置(Beam Splitter)は該本体のレーザーヘッドと結合し、これによりレーザー光は該分光装置を通り分光し、
該複数本の伝送線一端は該分光装置と連結し、反対端はそれぞれ複数個のスキャンヘッドと連結し、これにより該分光装置が分光したレーザー光はそれぞれ各１本の伝送線により各１個のスキャンヘッドに伝送される多数のスキャンヘッドを備えたレーザーラベル印刷機を提供する。
【考案の効果】
【０００５】
上記のように、本考案は一対多の設計概念により、一台のレーザーラベル印刷機は分光装置を通して多数のスキャンヘッドに出力させ、多数本の生産ラインで使用可能であるため、生産コストを大幅に低下させ、生産効率を向上させることができる。しかも出力の作業時間を短縮可能である他、レーザーラベル印刷機そのものの競爭力を効果的に向上させることができ、しかもモジュール化の設計により、使用においては異なるワット数のレーザー源に交換するだけでよく非常に便利である。
【考案を実施するための最良の形態】
【０００６】
図１に示すように、本考案多数のスキャンヘッドを備えたレーザーラベル印刷機1の実施例は本体2、分光装置7(Beam Splitter)、複数本の伝送線8及び複数個のスキャンヘッド9(SCANHEAD)により組成する。
該本体2はレーザーヘッド5(Laser Head)を備え、レーザー光を出力する。該本体2内にはさらにレーザーラベル印刷機1が必要とするレーザー源4と供電装置3を含む。
該分光装置7(Beam Splitter)は該本体2のレーザーヘッド5と結合し、結合後は、レーザー光は該分光装置7を通して分光する。
該複数本の伝送線8は光ファイバーで、その一端は該分光装置7と連結する。
該複数個のスキャンヘッド9(SCANHEAD)はそれぞれ該複数個の伝送線8の反対端と連結し、該分光装置7が分光するレーザー光はそれぞれ該各１本の伝送線8により該各１個のスキャンヘッド9に伝送される。
【０００７】
実施時には図１に示すように、該本体2、該分光装置7、該複数本の伝送線8及び該複数個のスキャンヘッド9により組成後、使用者は該本体2内の必要なワット数に予め交換したレーザー源4により、該レーザーラベル印刷機1を起動する。該本体2内のレーザー源4が出力したレーザー光はそれぞれ該レーザーヘッド5上の分光装置7と複数本の伝送線8を通して、複数個のスキャンヘッド9に伝送される。作動時には、該レーザーラベル印刷機1は多数のスキャンヘッド9の設計により多数本の生産ラインにおいて使用される。
さらに該本体2は制御器6を含むため、該各１個のスキャンヘッド9は該制御器6の制御を受け、それぞれ異なる出力を提供する。
本考案は以下の長所を備える。
1. 本考案は分光装置の設計を利用し、一対多の設計概念により、一台のレーザーラベル印刷機は該分光装置を通して多数のスキャンヘッドに出力させ、多数本の生産ラインで使用可能であるため、生産コストを大幅に低下させ生産効率を向上させることができる。
2. 本考案が設置するレーザーラベル印刷機により、使用者の相同な或いは異なるニーズに対応し多数のスキャンヘッドはは出力することができるため、出力の作業時間を短縮可能で、さらにレーザーラベル印刷機そのものの競爭力を効果的に向上させることができ、しかもモジュール化の設計により、使用においては異なるワット数のレーザー源に交換するだけでよく非常に便利である。
本考案では好ましい実施例を前述の通り開示したが、これらは決して本考案に限定するものではなく、当該技術を熟知する者なら誰でも、本考案の製品と領域を脱しない範囲内で各種の変動や潤色を加えることができ、したがって本考案の保護範囲は、特許請求の範囲で指定した内容を基準とする。
【図面の簡単な説明】
【０００８】
【図１】本考案実施例レーザーラベル印刷機の構造指示図である。
【符号の説明】
【０００９】
1  レーザーラベル印刷機
2  本体
3  供電装置
4  レーザー源
5  レーザーヘッド
6  制御器
7  分光装置
8  伝送線
9  スキャンヘッド
【図１】
0003129877.tif 000003